(57)【要約】【課題】多くの種類の缶に装着できる缶キャップを提供する。【解決手段】缶キャップ１０は、管部３０と、管部３０から外側に突出するカバー部４０と、管部３０から外側に突出しカバー部４０よりも下側に形成されたつば部５０とを有する本体２０と、管部３０の上側先端部に着脱可能に設けられる栓７０とを備え、管部３０が缶蓋２の開口３に挿通された状態において、カバー部４０が缶蓋２の開口の周囲の上面を覆い、つば部５０が缶蓋２よりも下側に配置される。【選択図】図１
2017114487.tif 000002
【特許請求の範囲】
【請求項１】
プルタブ式又はステイオンタブ式の缶蓋の開口を塞ぐ缶キャップであって、
管部と、前記管部から外側に突出するカバー部と、前記管部から外側に突出し前記カバー部よりも下側に形成されたつば部とを有する本体と、
前記管部の上側先端部に着脱可能に設けられる栓とを備え、
前記管部が缶蓋の開口に挿通された状態において、前記カバー部が缶蓋の開口周囲の上面を覆い、前記つば部が缶蓋よりも下側に配置されること、
を特徴とする缶キャップ。
【請求項２】
請求項１に記載の缶キャップにおいて、
缶蓋の上面と、前記本体の前記カバー部との間に配置されるパッキンを備え、
前記つば部が缶蓋の下面に当接することにより、前記パッキンが缶蓋の上面と前記本体の前記カバー部とから面圧がかかり圧縮されること、
を特徴とする缶キャップ。
【請求項３】
請求項１又は請求項２に記載の缶キャップにおいて、
この缶キャップを缶蓋に装着した状態において、前記つば部は、前記管部から缶蓋の中心を中心とする円周方向に突出すること、
を特徴とする缶キャップ。
【請求項４】
請求項３に記載の缶キャップにおいて、
前記つば部は、
前記管部から缶蓋の前記円周方向の一方に突出する短つば部と、
前記管部から缶蓋の前記円周方向の他方に突出し、突出量が前記短つば部よりも長い長つば部とを備えること、
を特徴とする缶キャップ。
【請求項５】
請求項１から請求項４のいずれかに記載の缶キャップにおいて、
前記管部及び前記カバー部を連通し、一端の開口が前記カバー部の下面に設けられ、他端の開口が前記管部の上側先端部に設けられた通気孔を備えること、
を特徴とする缶キャップ。
【請求項６】
請求項５に記載の缶キャップにおいて、
前記栓は、装着された状態において、前記管部の上側先端部の開口と、前記通気孔の上側の開口とを塞ぐこと、
を特徴とする缶キャップ。
【請求項７】
請求項１から請求項６のいずれかに記載の缶キャップにおいて、
前記つば部の缶蓋との当接面は、水平方向において前記管部から缶蓋の開口とは反対側に至る程、前記カバー部側に向かうように傾斜していること、
を特徴とする缶キャップ。
【請求項８】
請求項２に記載の缶キャップにおいて、
前記パッキンは、中空の円環状の部材であること、
を特徴とする缶キャップ。
【請求項９】
請求項２に記載の缶キャップにおいて、
前記パッキンは、缶蓋との当接面に、先端に至る程細くなるリブを有すること、
を特徴とする缶キャップ。
【請求項１０】
請求項２に記載の缶キャップにおいて、
前記パッキンは、缶蓋との当接面に凹凸を有すること、
を特徴とする缶キャップ。
【請求項１１】
請求項１０に記載の缶キャップにおいて、
前記パッキンは、前記凹凸を、全面に有すること、
を特徴とする缶キャップ。
【発明の詳細な説明】
【技術分野】
【０００１】
本発明は、缶蓋に装着される缶キャップに関するものである。
【背景技術】
【０００２】
従来、飲料等の缶に装着される缶キャップがあった（例えば特許文献１）。
しかし、缶の外径の大きさや、缶蓋の縁部の形状は、メーカ等によって異なる。このため、従来の缶キャップは、装着できる缶の種類が少なかった。
【先行技術文献】
【特許文献】
【０００３】
【特許文献１】特開平８−３２４６０３号公報
【発明の概要】
【発明が解決しようとする課題】
【０００４】
本発明の課題は、多くの種類の缶に装着できる缶キャップを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、プルタブ式又はステイオンタブ式の缶蓋（２，３０２）の開口（３）を塞ぐ缶キャップであって、管部（３０）と、前記管部から外側に突出するカバー部（４０）と、前記管部から外側に突出し前記カバー部よりも下側に形成されたつば部（５０）とを有する本体（２０）、前記管部の上側先端部に着脱可能に設けられる栓（７０）とを備え、前記管部が缶蓋の開口に挿通された状態において、前記カバー部が缶蓋の開口周囲の上面を覆い、前記つば部が缶蓋よりも下側に配置されること、を特徴とする缶キャップである。
・第２の発明は、第１の発明の缶キャップにおいて、缶蓋（２，３０２）の上面と、前記本体（２０）の前記カバー部（４０）との間に配置されるパッキン（８０，２８０，３８０）を備え、前記つば部（５０）が缶蓋の下面に当接することにより、前記パッキンが缶蓋の上面と前記本体の前記カバー部とから面圧がかかり圧縮されること、を特徴とする缶キャップである。
・第３の発明は、第１又は第２の発明の缶キャップにおいて、この缶キャップを缶蓋（２，３０２）に装着した状態において、前記つば部（５０）は、前記管部（３０）から缶蓋の中心を中心とする円周方向に突出すること、を特徴とする缶キャップである。
・第４の発明は、第３の発明の缶キャップにおいて、前記つば部（５０）は、前記管部（３０）から缶蓋（２，３０２）の前記円周方向の一方に突出する短つば部（５１）と、前記管部から缶蓋の前記円周方向の他方に突出し、突出量が前記短つば部よりも長い長つば部（５２）とを備えること、を特徴とする缶キャップである。
・第５の発明は、第１から第４のいずれかの発明の缶キャップにおいて、前記管部（３０）及び前記カバー部（４０）を連通し、一端の開口（４１）が前記カバー部の下面に設けられ、他端の開口（３２）が前記管部の上側先端部に設けられた通気孔を備えること、を特徴とする缶キャップである。
・第６の発明は、第５の発明の缶キャップにおいて、前記栓（７０）は、装着された状態において、前記管部（３０）の上側先端部の開口（３２）と、前記通気孔（６０）の上側の開口（６２）とを塞ぐこと、を特徴とする缶キャップである。
・第７の発明は、第１から第６のいずれかの発明の缶キャップにおいて、前記つば部（５０）の缶蓋（２，３０２）との当接面は、水平方向において前記管部（３０）から缶蓋の開口（３）とは反対側に至る程、前記カバー部（４０）側に向かうように傾斜していること、を特徴とする缶キャップである。
・第８の発明は、第２の発明の缶キャップにおいて、前記パッキンは、中空の円環状の部材であること、を特徴とする缶キャップである。
・第９の発明は、第２の発明の缶キャップにおいて、前記パッキン（２８０）は、缶蓋との当接面に、先端に至る程細くなるリブ（２８１）を有すること、を特徴とする缶キャップである。
・第１０の発明は、第２の発明の缶キャップにおいて、前記パッキン（３８０）は、缶蓋（３０２）との当接面に凹凸を有すること、を特徴とする缶キャップである。
・第１１の発明は、第１０の発明の缶キャップにおいて、前記パッキン（３８０）は、前記凹凸を、全面に有すること、を特徴とする缶キャップである。
【発明の効果】
【０００７】
本発明によれば、多くの種類の缶に装着できる缶キャップを提供できる。
【図面の簡単な説明】
【０００８】
【図１】第１実施形態の缶キャップ１０を缶１に装着した状態を説明する図である。
【図２】第１実施形態の缶キャップ１０の本体２０、栓７０、パッキン８０の構成を説明する図である。
【図３】第１実施形態の缶キャップ１０を缶蓋２に装着する方法を説明する断面図である。
【図４】第１実施形態の缶キャップ１０が傾いて装着される態様を説明する図、飲料が管部３０から流出する態様を説明する図である。
【図５】第２実施形態の缶キャップのパッキン２８０の構成を説明する図である。
【図６】第３実施形態のパッキン３８０の構成を説明する図、缶キャップ３１０を缶３０１に装着した状態を説明する図である。
【発明を実施するための形態】
【０００９】
（第１実施形態）
以下、図面等を参照して、本発明の第１実施形態について説明する。
図１は、第１実施形態の缶キャップ１０を缶１に装着した状態を説明する図である。
図１（Ａ）は、缶キャップ１０を缶１に装着した状態を、上側Ｚ２から見た図である。
図１（Ｂ）は、図１（Ａ）のＢ−Ｂ断面図である。
図１（Ｃ）は、図１（Ａ）のＣ−Ｃ断面図である。
図２は、第１実施形態の缶キャップ１０の本体２０、栓７０、パッキン８０の構成を説明する図である。
図２（Ａ）は、本体２０、パッキン８０を上側Ｚ２から見た図である。
図２（Ｂ）は、本体２０、栓７０、パッキン８０の断面図（図２（Ａ）のＢ−Ｂ断面図に相当する図）である。
図２（Ｃ）は、本体２０、栓７０、パッキン８０の断面図（図２（Ａ）のＣ−Ｃ断面図に相当する図）である。
図２（Ｄ）は、本体２０、栓７０、パッキン８０を下側Ｙ１から見た図である。図２（Ｄ）の二点鎖線内は、栓７０を本体２０に装着した状態である。
実施形態、図面では、説明と理解を容易にするために、ＸＹＺ直交座標系を設けた。この座標系は、図１（Ａ）の缶キャップ１０を缶１に装着した状態を基準に、左右方向Ｘ（左側Ｘ１、右側Ｘ２）、縦方向Ｙ（下側Ｙ１、上側Ｙ２）、鉛直方向Ｚ（下側Ｚ１、上側Ｚ２）を表す。缶１の中心軸を鉛直方向Ｚに平行にした状態において、左右方向Ｘ、縦方向Ｙは、水平方向である。缶１の開口３は、缶１の中心から右側Ｘ２に配置した状態である。
また、実施形態において、缶キャップ１０の構成、各方向は、缶キャップ１０を缶１に装着した状態を説明する。
【００１０】
缶キャップ１０は、ステイオンタブ式の缶１を開缶後に、缶蓋２に形成される開口３を塞ぐためのものである。実施形態では、缶１は、飲料用である例を説明する。なお、缶１は、飲料以外の食料用（例えば、粉、油等）のものでもよい。また、缶キャップ１０は、プルタブ式の缶に装着してもよい。
【００１１】
［缶キャップ１０の構成］
缶キャップ１０は、本体２０、栓７０、パッキン８０を備える。
本体２０は、例えば樹脂の成形品等である。
本体２０は、管部３０、カバー部４０、つば部５０、通気孔６０を備える。
【００１２】
管部３０は、鉛直方向Ｚに細長く、鉛直方向Ｚ（下側Ｚ１、上側Ｚ２）に開口３１，３２を備える円筒状の部材である。管部３０の中心軸は、鉛直方向Ｚに平行である。管部３０の外径は、缶１の開口３の大きさよりも小さい。
管部３０は、ねじ部３３を備える。
ねじ部３３は、栓７０を着脱可能に装着するためのねじである。ねじ部３３は、管部３０の上側Ｚ２の外周に設けられている。
【００１３】
カバー部４０は、管部３０の全周から管部３０の径方向外側に向けて、フランジ状に突出した部分である。
鉛直方向Ｚにおいて、カバー部４０は、管部３０のほぼ中央に設けられている。
上側Ｚ２から見た状態で、カバー部４０の外形は、実施形態では左右方向Ｘに長い楕円状である。
【００１４】
つば部５０は、管部３０から外側に突出しカバー部４０よりも下側Ｚ１に形成される。つば部５０は、管部３０から缶蓋２の円周方向に突出する。つまり、つば部５０は、管部３０から、缶蓋２の中心を中心とした円周の接線方向に平行（つまり縦方向Ｙ）に向けて突出している。
図１（Ｂ）、図２（Ｂ）に示すように、つば部５０は、短つば部５１、長つば部５２を備える。
短つば部５１は、管部３０から縦方向Ｙの下側Ｙ１（缶蓋２の中心を中心とする円の円周方向の一方）に突出する。
長つば部５２は、管部３０から縦方向Ｙの上側Ｙ２（缶蓋２の中心を中心とする円の円周方向の他方）に突出する。長つば部５２の突出量は、短つば部５１の突出量よりも長い。
図２（Ｄ）に示すように、カバー部４０の下面が水平面上にある状態において、つば部５０の缶蓋２との当接面は、水平方向において管部３０から左側Ｘ１（缶蓋２の開口３とは反対側）に至る程、カバー部４０側（つまり上側Ｚ２）に向かうように傾斜している。この理由は、後述する。
【００１５】
通気孔６０は、管部３０及びカバー部４０の内部を連通する孔である。通気孔６０の一端の開口６１は、カバー部４０の下面に設けられ、他端の開口６２は、管部３０の上面（上側Ｚ２の先端部）に設けられている。
【００１６】
栓７０は、管部３０の開口３２を塞ぐためのものである。栓７０は、管部３０の上側Ｚ２の先端部に着脱可能に設けられる。利用者は、飲料を飲むときには栓７０を管部３０から取り外せばよく、飲料を飲まないときには管部３０に装着すればよい。
栓７０は、ねじ部７３、パッキン７５を備える。
ねじ部７３は、栓７０を着脱可能に装着するためのねじである。ねじ部７３は、栓７０の内周面に設けられている。
パッキン７５は、栓７０の下面に設けられている。栓７０が管部３０に装着された状態において、パッキン７５は、管部３０の開口３２と、通気孔６０の開口６２とを塞ぐ（図１（Ｃ）の二点鎖線内参照）。
【００１７】
パッキン８０は、缶蓋２の上面と、本体２０のカバー部４０との間に配置される。パッキン８０の外形は、リング状（円環状）である。パッキン８０は、水分を通さない材料であり、かつ、ゴム等の弾性体により形成される。
パッキン８０及び本体２０は、一体構成である。この一体構成は、パッキン８０及び本体２０を接着剤等によって接合することにより実現してもよい。
【００１８】
パッキン８０の内径部は、本体２０の通気孔６０の開口６１の外側に位置する。このため、パッキン８０が、通気孔６０の開口６１を塞ぐことはない。また、上側Ｚ２から見た状態で、パッキン８０の外形と、本体２０の外形とは等しい。
カバー部４０及びパッキン８０の楕円形状は、左右方向Ｘに平行に長径を有し、縦方向Ｙに平行に短径を有する。長径の長さは、小さいタイプの缶蓋２の外径（例えば５０ｍｍ程度）よりも小さい。このため、缶キャップ１０は、小さいタイプの缶１に装着でき、また、大きいタイプの缶１（例えば、缶蓋２の外径が例えば６０ｍｍ程度）にも装着できる。また、パッキン８０は、缶１の縁部に乗り上げることはない。
【００１９】
缶キャップ１０が缶１に装着された状態では、径方向において、パッキン８０の内径は、開缶後のタブ５の位置よりも大きい。つまり、開缶後のタブ５は、パッキン８０の内径部よりも内側に位置する。このため、パッキン８０は、開缶後のタブ５の位置を逃げた位置に配置される。
また、パッキン８０の厚さ（鉛直方向Ｚの長さ）は、開缶後のタブ５の高さよりも厚い。このため、パッキン８０は、鉛直方向Ｚにおいても、開缶後のタブ５の位置を逃げた位置に配置される。
これにより、パッキン８０は、タブ５に干渉することなく、配置される。
【００２０】
［缶キャップ１０の使用時の形態］
缶キャップ１０の使用方法を説明しながら、各構成の機能等について説明する。
図３は、第１実施形態の缶キャップ１０を缶蓋２に装着する方法を説明する断面図である。図３は、図１（Ａ）のＢ−Ｂ断面図に相当する図である。
図４は、第１実施形態の缶キャップ１０が傾いて装着される態様を説明する図、飲料が管部３０から流出する態様を説明する図である。
図４（Ａ）は、缶キャップ１０が缶１に対して傾いて装着される態様を説明する図である。図４（Ａ）は、図１（Ａ）の４Ａ−４Ａ断面図に相当する図である。
図４（Ｂ）、図４（Ｃ）は、飲料が管部３０から流出する態様を説明する図である。図４（Ｂ）、図４（Ｃ）は、図１（Ａ）のＣ−Ｃ断面図に相当する図である。
【００２１】
（缶キャップ１０を缶蓋２に装着する場合）
この場合、利用者は、以下のように作業すればよい。ここでは、栓７０が缶キャップ１０に装着された状態を説明する。
（１）本体２０の管部３０を、下端側から、開缶した缶１の缶蓋２の開口３に挿通する。
図３（Ａ）に示すように、この場合、管部３０を傾けることにより、長つば部５２側から挿入する（矢印Ａ１参照）。
（２）図３（Ｂ）に示すように、管部３０の外周のうち長つば部５２の設置部５３（長つば部５２の根元）の近傍を、缶蓋２の開口３の縁部に当て付けながら回転させることにより（矢印Ａ２参照）、管部３０の短つば部５１を、缶蓋２の開口３に挿通させる。
なお、このように短つば部５１が開口３を通過できるように、縦方向Ｙにおいて、缶１の開口３の長さＬ３は、短つば部５１の先端から長つばの設置部５３までの長さＬ５０よりも長い。
【００２２】
（３）図３（Ｃ）に示すように、管部３０を、短つば部５１側にスライドさせることにより、縦方向Ｙにおいて、管部３０を、缶１の開口３の中央に配置する。
以上により、図１に示す状態になり、缶キャップ１０が缶蓋２に装着される。
【００２３】
缶キャップ１０を缶蓋２に装着した状態では、以下の形態である。
（ａ）図１に示すように、カバー部４０が缶蓋２の開口２の周囲の上面を覆い、つば部５０が缶蓋２よりも下側Ｚ１に配置される。この場合、カバー部４０は、缶蓋２の上面の全面を覆う必要はない。つば部５０が缶蓋２の下面に当接することにより、パッキン８０は、缶蓋２の上面と本体２０のカバー部４０とから面圧がかかり圧縮される。
このため、パッキン８０は、本体２０の下面と、缶蓋２の上面とに密着する。なお、この場合、缶蓋２に刻印等があっても、凹凸の高さが小さければ、パッキン８０は、これらに密着できる。
これにより、缶１が傾いたりした場合等に、飲料が缶蓋２の開口３から缶蓋２の上面に移動した場合でも、飲料が外部に漏れることがない。
【００２４】
（ｂ）前述したように、つば部５０の上面（缶蓋２との当接面）は、傾斜している。
図４（Ａ）に示すように、このため、つば部５０の上面が缶蓋２の下面に対して平行に当接した状態では、カバー部４０は、水平方向において管部３０から左側Ｘ１（缶蓋２の開口３の反対側）に至る程、下側Ｚ１（缶蓋２側）に至るように傾斜する。このため、パッキン８０は、左側Ｘ１の部分の方が、右側Ｘ２の部分のよりも、多く圧縮しようとする。
ここで、つば部５０からの長さは、パッキン８０の左側Ｘ１の部分の方が、右側Ｘ２の部分のよりも長い。このため、上側Ｚ２から見た状態では、パッキン８０の面積は、つば部５０から左側Ｘ１の面積の方が、つば部５０から右側Ｘ２の面積よりも大きくなる。このため、パッキン８０を全体に渡って均一に圧縮させるためには、パッキン８０の左側Ｘ１の部分を、右側Ｘ２の部分よりも、大きな力で圧縮させる必要がある。
そこで、実施形態では、前述したようにカバー部４０を傾斜させることにより、パッキン８０の左側Ｘ１の部分の方を、右側Ｘ２の部分のよりも、多く圧縮させるようにしている。すなわち、実施形態とは異なりカバー部４０が水平に配置された形態では、左側Ｘ１の部分でのパッキン８０の反発力が大きくなるため、パッキン８０が十分に圧縮されない可能性がある。
なお、このようにカバー部４０が傾斜した態様で缶キャップ１０が装着された状態は、図４（Ａ）のみ図示し、他の図面では、便宜上、この傾斜を省略して図示した。また、実施形態は、便宜上、各方向の説明をこの傾きが生じないない状態を説明した。
【００２５】
（ｃ）図１（Ｃ）の二点鎖線内に示すように、栓７０のパッキン７５は、管部３０の開口３２と、通気孔６０の開口６２とを塞ぐ。このため、飲料は、管部３０から漏れない。
【００２６】
（飲料を飲む場合）
この場合、利用者は、以下のようにすればよい。
（１）利用者は、栓７０を管部３０から外す。管部３０及び栓７０がねじ部３３，７３によって結合されているので、利用者は、栓７０を容易に外すことができる。
（２）図４（Ｂ）、図４（Ｃ）に示すように、利用者は、管部３０の上側部分を飲み口として、また、管部３０の開口３２側を下側Ｚ１に傾けるようにして、飲料を飲む。この場合、飲料の残量に関わらず、水面が通気孔６０の開口６２よりも下側Ｚ１であれば、空気が通気孔６０を通って缶１の外部から内部に流入するので（開口６１，６２近傍に示す矢印参照）、飲料は、管部３０の開口３２からスムーズに流出する。
【００２７】
（３）利用者は、飲料を必要な量だけ飲んだ後は、再度、栓７０を管部３０に装着する。上記（１）と同様に、栓７０は、容易に装着できる。
栓７０を缶１に装着することにより、缶キャップ１０は、上記（ａ），（ｂ），（ｃ）の作用、効果を奏する。
【００２８】
（４）利用者は、飲料を全て飲み終わった後は、缶キャップ１０を缶蓋２に装着する場合の上記工程とは反対の工程に従って、缶キャップ１０を缶蓋２から取り外すことができる。これにより、缶キャップ１０は、繰り返し使用できる。
【００２９】
以上説明したように、本実施形態の缶キャップ１０を缶蓋２に装着することにより、利用者は、飲料を必要な時に必要な量だけ摂取後に缶１に残存した飲料を、缶１からこぼすことなく保管、持ち運び等をすることができる。
また、缶キャップ１０は、缶１の開口３を利用して缶１に装着するので、缶１の外径の大きさ、缶蓋２の縁部形状等に関わらず装着できる。これにより、缶キャップ１０は、多くの種類の缶に装着できる。
【００３０】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図５は、第２実施形態の缶キャップのパッキン２８０の構成を説明する図である。
図５（Ａ）は、パッキン２８０を上側Ｚ２から見た図である。
図５（Ｂ）は、図５（Ａ）のＢ−Ｂ断面図である。
パッキン２８０の下面（つまり缶蓋との当接面）には、断面が三角形であり、下側先端に至る程細くなるリブ２８１が、下側Ｚ１に突出するように設けられている。
リブ２８１は、パッキン２８０の下面の幅方向の中央に、全周に渡って設けられている。
図示は省略するが、本実施形態の缶キャップを缶に装着した状態では、リブ２８１は、缶蓋の上面に当接することによって、強い圧力で圧縮される。
このため、パッキン２８０は、確実に缶蓋の上面に密着できるので、缶蓋に刻印等があっても、飲料の流出を抑制できる。
【００３１】
（第３実施形態）
次に、本発明の第３実施形態について説明する。
図６は、第３実施形態のパッキン３８０の構成を説明する図、缶キャップ３１０を缶３０１に装着した状態を説明する図である。
図６（Ａ）は、パッキン３８０を上側Ｚ２から見た図である。
図６（Ｂ）は、図６（Ａ）のＢ−Ｂ断面図である。
図６（Ｃ）は、缶キャップ３１０を缶３０１に装着した状態の断面図である。
図６（Ａ）、図６（Ｂ）に示すように、パッキン３８０は、扁平した珠状の部材が円周に沿って連続して配置されたような形態である。このため、パッキン３８０の全面は、細かい凹凸を備える。そのため、パッキン３８０の全面は、缶蓋３０２の凹凸に倣って、変形しやすい。
【００３２】
図６（Ｃ）に示すように、缶３０１のタブ３０５の左右方向Ｘの長さは、前述した実施形態のものよりも長い。このため、缶キャップ３１０を缶３０１に装着した状態では、パッキン３８０の内側の部分は、タブ３０５の一部に乗り上げる。この場合でも、パッキン３８０は、タブ３０５に接触した部分が、タブ３０５に倣って変形する。
このため、パッキン３８０のうちタブ３０５よりも左側Ｘ１（缶３０１の径方向外側）の部分は、缶蓋３０２の上面に密着する。
【００３３】
これにより、パッキン３８０がタブ３０５に乗り上げても、缶キャップ３１０は、飲料の流出を抑制できる。
なお、パッキン３８０は、凹凸を、缶蓋３０２との当接側である下側Ｚ１にのみ備えていてもよい。この場合でも、パッキン３８０は、タブ３０５に接触した部分が、タブ３０５に倣って変形できる。
【００３４】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３５】
（変形形態）
パッキンは、中空の部材でもよい。この場合には、パッキンは、例えば、タブに乗り上げたとき等に、より柔軟に変形できる。
【符号の説明】
【００３６】
１，３０１…缶    ２，３０２…缶蓋    ３…開口    ５，３０５…タブ    １０，３１０…缶キャップ    ２０…本体    ３０…管部    ３１，３２…開口    ４０…カバー部５０…つば部    ５１…短つば部    ５２…長つば部    ６０…通気孔    ６１，６２…開口    ７０…栓    ７５…パッキン    ８０，２８０，３８０…パッキン    ２８１…リブ
【図１】
2017114487.tif 000003
【図２】
2017114487.tif 000004
【図３】
2017114487.tif 000005
【図４】
2017114487.tif 000006
【図５】
2017114487.tif 000007
【図６】
2017114487.tif 000008